(57)【要約】【課題】施設訪問者が事前に設置された撮影システムから、施設訪問者のカメラによらず本人、およびその同伴者の動画、静止画を被撮影者が撮影されていることを全く意識することなく撮影し、記念写真として残したい場合は記念写真として撮影されるシステムを提供することを課題とする。【解決手段】上記課題を解決するため、本発明は次のように構成される。本発明の撮影システムは、撮影を希望する本人、本人を含むグループ認識のために顔写真および全身を事前準備として撮影し当該撮影装置が撮影した画像により撮影を希望する本人、本人を含むグループ認識を行い、位置検出機を本人が携帯し画像認識認識と合わせ位置情報も用い本人、本人を含むグループ認識を行い撮影後の画像の閲覧・配信を行う。【選択図】図１
2014003560.tif 000002
【特許請求の範囲】
【請求項１】
公開された場所や公開されていない場所に予め設置され本人確認のための顔認識、形態認識等を具備し、静止画又は動画の撮影を行う撮影装置であり画像データを記憶する記憶装置とを備えた記憶管理装置。画像閲覧、入手の本人認識のために本人や本人を含む顔、全身画像を記憶管理装置に記憶させる、顔、全身での判別が不可な遠方画像の場合に撮影範囲内で有れば画像の閲覧入手を可能にするために位置管理のＧＰＳロガー機能機能、ＧＰＳが受信できない施設を含む場合はWiFiロケーション・システム機能を併せ持つ機器を携帯し、この位置データーを記憶管理装置に蓄え撮影範囲と判断された画像を提供できる記憶管理装置。画像処理による顔、全身認識とＧＰＳによる位置認識を組み合わせカメラの撮影範囲に撮影希望者達が有る場合はこの画像を提供する映像録画配信システム。
【請求項２】
請求項１の映像録画配信システムにおいて 、
顔認識、形態認識、等により認識された人物の認識前後の画像追跡を行い、画面への写り始めから、画面から出て行くまでの画像を閲覧・配信する映像録画配信システム。
【請求項３】
記念写真としての静止画を撮影するために撮影完了の合図を具備し設置されたカメラで、撮影は携帯機器にシャッターを設けるもしくは、被撮影場所に遠隔シャッターを設けて撮影を行う。撮影された画像は目つぶり笑顔認識等再撮影が必要とされる画像の場合は撮影完了の合図をださない画像撮影記憶システム。
【請求項４】
本考案では撮影された画像を他人に入手されたくない者も撮影されるが、本考案での本人確認技術で撮影を希望しない者も認識し画像の閲撮・配信時に画像から消去して閲撮・配信する画像撮影記憶システム。
【発明の詳細な説明】
【技術分野】
【０００１】
本発明は、自由に撮影可能なテーマパークや撮影場所が限定される美術館等に設置し、来訪者に撮影動画、静止画を提供するのに適した撮影システムに関するものである。 
【背景技術】
【０００２】
テーマパークや遊園地等に設置され、撮影希望者の画像を撮影し撮影画像を配布する装置として、撮影希望対象者を特定するためにＩＣタグや非接触型のＩＣカード等携帯機器を利用者に携帯させ、利用者が撮影場所に設置された撮影装置に当該携帯機器を認識させて、静止画像や動画画像が撮影されるシステムが知られている。こ
の種のシステムで撮影された画像は、前記携帯機器を認識させることにより、撮影画像を閲覧入手することができるようになっている
【０００３】
特許文献１には、ＩＤ情報が設定され、画像データを格納可能、格納した画像データおよび前記ＩＤ情報を無線送信可能、かつ携帯可能なディスプレイカードと、ディスプレイ
カードを着脱可能であり、撮影により得られた画像データを装着されているディスプレイカードに書き込む携帯用カメラと、ディスプレイカードから受信した画像データをＩＤ情報と関連させて記憶する管理装置とを備えた撮影記録システムが開示されている。 
【０００４】
特許文献１に開示されているシステムでは、利用者はカメラを持参せず画像を入手することができるという利点はあるが、持参するカメラよりも複雑なディスプレイカードと着脱可能な携帯用カメラを操作する必要があり、自分のカメラのような慣れもなく、利用者によっては操作が困難であるという問題点がある。 
【０００５】
特許文献１の問題点を解決するものとして、下記特許文献２に開示されている静止画又は動画の撮影を行う撮影装置 システムが提案されている。この撮影装置システムは、カメラ携帯は不要で、利用者はICタグあるいは非接触型のICカードリーダ を携帯し撮影操作は利用者が撮影ステーションのICタグあるいは非接触型のICカードリーダに携帯機器をかざすことにより行われる。また係員以外が立ち入れない場所であっても撮影装置が設置可能であれば、そこからの撮影が可能であり、利用者は簡単に撮影した画像を閲覧したり印刷したりすることができるとされている。 
【０００６】
特許文献２に記載開示されているシステムは、予め所定の場所に設置されている撮影装置で撮影するものであるから、カメラを持参しなくても静止画又は動画を得ることができるが、被撮影者はＩＣタグ或いは非接触型のＩＣカードをかざすことにより撮影を行うためにまず撮影されるためのカメラを認識し、撮影動作を行わなければ撮影されない。また撮影するために撮影装置近傍まで接近する必要が有り監視カメラ映像のような絵柄となってしまい、自然な写真を得るのが難しい。
【０００７】
特許文献１と２の問題点を解決するものとして、下記特許文献３に開示されているシステムは、携行者がＩＣタグをカメラから離れた撮影場所に設置された認装置に認識させ撮影し画像を観察できるモニタも設置される。
【０００８】
特許文献３に記載開示されているシステムは、カメラから離れた場所で撮影されるが認識装置の場所で撮影されるために自然な撮影とはならず、目つぶり等の撮り直しが必要な状況でも撮影されてしまいうために、画像確認が必要になり自然で気にならない撮影とはならないと考えられる。
【先行技術文献】
【特許文献】
【０００９】
【特許文献１】特開２００３−２４４５９６号公報
【特許文献２】特開２００５−２８６４５４号公報
【特許文献３】特開２０１１−１２４７７６号公報
【発明の概要】
【発明が解決しようとする課題】
【００１０】
本発明は上記の従来の撮影システムとは異なり、遊園地、テーマパーク、等撮影が自由に出来る施設や、美術館、寺院等撮影場所が規制されている施設では撮影可能な場所を選び設置し、来場者のカメラによらず来場者、およびその同伴者の動画、静止画を被撮影者が撮影されていることを全く意識することなく撮影し、記念写真として残したい場合は記念写真として撮影されるシステムを提供することを課題とする。
【課題を解決するための手段】
【００１１】
上記課題を解決するため、本発明は次のような構成を採用した。すなわち、請求項１に記載の本発明にかかる撮影システムは、撮影を希望する本人、本人を含むグループ認識のために顔写真および全身を事前準備として撮影し当該撮影装置が撮影した画像データを記憶する記憶装置とを備えた記憶管理装置に保存し、画像により撮影を希望する本人、本人を含むグループ認識を行う、さらにＧＰＳロガー機能等の位置検出機を本人が携帯し画像認識認識と合わせ位置情報も用い本人、本人を含むグループ認識を行い撮影後の画像の閲覧・配信を行う。
【００１２】
撮影を希望する本人、本人を含むグループがカメラより遠方にあり被写体として小さく画像認識が難しい場合も撮影範囲内と認識された場合に自然な状態と判断し撮影するためにの位置認識と軌跡管理のためにＧＰＳロガー機能を備える携帯機器であることを特徴としている。 
【００１３】
請求項１ににかかる撮影システムは、上記構成に加えて 、ＧＰＳ受信が不可能な場所での位置検出を行うためのWiFiロケーション・システムを併せ持つ携帯機器を携帯する構成したことを特徴としている。WiFiロケーション・システムの位置データーはＧＰＳデーターをともにＧＰＳロガーに記憶される。
【００１４】
請求項２ににかかる撮影システムは、本人認識した人物を撮影した画像内で追跡し位置情報によらず本人やグループを追跡し写っている画像の閲覧・配信を行う。
【００１５】
請求項３ににかかる撮影システムは、 記念写真に適切な場所では静止画撮影のための携帯機器もしくは撮影場所にシャッター機能をもうけ、記念撮影を行う。この撮影時も顔認識、笑顔認識を組み合わせ自動でシャッターが切られるために撮影された画像の確認は必要とされない。撮影を知らせるために何らかの撮影終了信号、例えばカメラ付近の旗を振るなどで撮影終了を被撮影者に知らせる機能を付加してもよい。
【００１６】
請求項４ににかかる撮影システムは、本発明の本人グループが撮影される際に写こむ他の入園者などで、事前に他人のデーターに写り込むことを避けたいとの意思表示を行った本人やグループは顔認識で判別されるかＧＰＳ、WiFiロケーション・システムの位置データーで写り込みが判別された場合、写り込んだ人物が撮影されていない景色に置き換え撮影を希望するデーター入手者のデーターから撮影を希望しない人物は消去される。
【発明の効果】
【００１７】
本発明によれば、遊園地、テーマパーク、等撮影が自由に出来る施設や、美術館、寺院等撮影場所が規制されている施設で撮影可能な場所を選び設置し、来場者のカメラによらず来場者、およびその同伴者の動画、静止画を被撮影者が撮影されていることを全く意識することなく撮影し、記念写真として残したい場合は記念写真として目つぶり等のために撮り直しを必要としない画像を記録可能なシステムを提供することが出来、記録された画像データーは位置データーであるＧＰＳデーターロガーのデーターと顔認識のデーターにより被撮影者を適切に判断し当確人、及び同伴者が写った画像を提供できる。
【図面の簡単な説明】
【００１８】
【図１】一例の俯瞰説明図である。
【図２】本発明の実施形態において、ＧＰＳが受信できない建屋内で他の位置検出システムと併用し位置検出する説明図である。。
【図３】記念の静止画を撮影する説明図である。
【図４】本発明の実施形態において写り込みを希望しない人物が写り込んだ場合の動作説明図である。
【発明を実施するための形態】
【００１９】
以下、本発明の実施形態例について具体的に説明する 。
【実施例１】
【００２０】
画像閲覧、入手の希望者を認識する事前準備として、設置カメラによる撮影データーを閲覧入手することを希望する本人、および本人を含むグループの顔写真、全身を画像による人物識別のために撮影し画像データを記憶する記憶装置を備えた記憶管理装置にデーターを保存する。
【００２１】
さらに、図１のようにＧＰＳロガー機能を備えた携帯位置検出装置を携帯し指定地域を散策する。この携帯機器には図２のように必要に応じてWiFiロケーション・システムを併せ持つ、もしくはWiFiロケーション・システムとすることが出来る。
【００２２】
このシステムの設置カメラは必要時常時撮影を続け画像データを記憶する記憶装置を備えた管理システムにデーターを保存する。このデーターは撮影希望者が携帯しているＧＰＳロガーの位置情報を管理システムに転送することにより各カメラの撮影範囲と位置情報が一致した画像を管理システムから閲覧・配信できるシステム。
【実施例２】
【００２３】
実施例１に加え図３に示すように記念撮影ポイントでは撮影位置に設置されたシャッター機構により記念撮影を行える。この撮影は笑顔認識、目つぶり確認などの撮り直し防止策を施し画像確認せずに撮り直しの必要ない画像を撮影する。シャッターは携帯機器に機能を持たせても良いし、撮影されたことを知らせる、撮影後に例えば旗を振るなどの機構を追加しても良い。
【実施例３】
【００２４】
このシステムでは常時撮影されるために他人の記録に自分が写りたくない人物の映像が他人に配信されることがある。これを防止するために本校案と同じ手順で撮影されたく無い人物のデーターも管理システムに蓄え配信時に当確人物を消去した画像を閲覧・配信するシステム。図４。
【符号の説明】
【００２５】
１１      撮影範囲外の軌跡情報
１１−１  撮影範囲外の軌跡情報
１１−２  撮影範囲外の軌跡情報
１１−３  撮影範囲外の軌跡情報
１２      撮影範囲内の軌跡情報
１２−１  撮影範囲内の軌跡情報
１３      撮影装置
１３−１  撮影装置
１３−２  撮影装置
１３−３  撮影装置
１５      WiFiロケーション・システム用機器
１６      ＧＰＳ電波遮蔽物
２１      軌跡認識開始位置
２２      １３カメラの撮影範囲内進入位置
２３      １３カメラの撮影範囲内離脱位置
２４      １３−１カメラの撮影範囲内進入位置
２５      １３−１カメラの撮影範囲内離脱位置
２６      １３−２カメラの撮影範囲内進入位置
２７      １３−２カメラの撮影範囲内離脱位置
２８      軌跡認識終了位置
３１      ＧＰＳ認識開始位置
３２      ＧＰＳ電波遮断位置  WiFiロケーション開始位置
３３      ＧＰＳ電波復帰位置  WiFiロケーション終了位置
３４      ＧＰＳ認識終了位置
４２      撮影希望者
４３      撮影位置シャッター
５１      撮影希望者
５２      背景
５３      撮影拒否者
【図４】
2014003560.tif 000003
【図１】
2014003560.tif 000004
【図２】
2014003560.tif 000005
【図３】
2014003560.tif 000006